(57)【特許請求の範囲】
【請求項１】
キャビネットの天板側部と壁面との間隙を塞ぐスペーサを、上記間隙の幅寸法と奥行寸法を有する略逆凹状に成形された本体部と、この本体部の前面側を塞ぐ前板部と、で形成し、上記本体部の両側部の手前側下部には、上記天板部の前側に膨出形成された凸部に合致する切欠部を形成し、該切欠部の周縁部と本体部の奥行端部を薄肉に形成すると共に、上記本体部の両側部には、軸心が同軸のネジ孔を開設し、該ネジ孔の内の天板側部側のネジ孔の口径をネジの頭部より大きく形成して、固定ネジをキャビネット側から挿入しこれを緊締することで、該スペーサを壁面に取り付けることを特徴とするスペーサ。
【請求項２】
前記本体部は、キャビネットの天板側部の奥行寸法に合わせて切断可能な材質で形成されていることを特徴とする請求項１に記載のスペーサ。
【請求項３】
前記壁面側のネジ孔には、ネジ挿通孔が開設されたネジスペーサが嵌合係止されることを特徴とする請求項１に記載のスペーサ。
【請求項４】
前記天板側部側のネジ孔には、化粧キャップが着脱自在に装着されることを特徴とする請求項１に記載のスペーサ。
【請求項５】
前記前板部の下端部は、下方に延設されて形成されており、該延長された前板部の下端部は、前記天板部の厚さ寸法に対応させて切断可能であることを特徴とする請求項１に記載のスペーサ。
【請求項６】
前記本体部の天板部後端には、キャビネットの天板部奥行側に立ち上がり形成されたバックガードの前後幅寸法と同じ寸法に切断調整可能な隠蔽片が延設されていることを特徴とする請求項１に記載のスペーサ。
【発明の詳細な説明】
【０００１】
【発明の属する技術分野】
この発明は、流し台等のキャビネットを厨房室に据え付けたときに壁面との間に発生する隙間を塞ぐスペーサに係り、特に、現場で調整しながら取り付けることができる取扱いが至便なスペーサに関する。
【０００２】
【従来の技術】
周知のように、流し台等のキャビネットは、幅寸法が定められた複数種類のものの中から選択して設置されるが、この設置される厨房室の据付部の間口寸法はまちまちであることから、据え付け後には、必ずと言っていいほど壁面との間に間隙が生じてしまうため、従来では、この間隙部をシーラや板材等で隠蔽しているのが現状である。
【０００３】
【発明が解決しようとする課題】
しかしながら、上記シーラや板材等を現場で塗布したり切断等するのは、作業が非常に煩雑であるばかりか、システムキッチンのような意匠性が重要視されるものにあっては外観が損われ、デザイン性を台無しにしてしまう、という問題を有していた。
【０００４】
この発明は、かかる現状に鑑み創案されたものであって、その目的とするところは、キャビネットと壁面との間に発生する間隙を、厨房室のデザイン性を損なうことなく、現場にて上記間隙の大きさに対応させて容易に調整し隠蔽することができるスペーサを提供しようとするものである。
【０００５】
【課題を解決するための手段】
上記目的を達成するため、この発明に係るスペーサにあっては、請求項１に記載したように、キャビネットの天板側部と壁面との間隙を塞ぐスペーサを、上記間隙の幅寸法と奥行寸法を有する略逆凹状に成形された本体部と、この本体部の前面側を塞ぐ前板部と、で形成し、上記本体部の両側部の手前側下部には、上記天板部の前側に膨出形成された凸部に合致する切欠部を形成し、該切欠部の周縁部と本体部の奥行端部を薄肉に形成すると共に、上記本体部の両側部には、軸心が同軸のネジ孔を開設し、該ネジ孔の内の天板側部側のネジ孔の口径をネジの頭部より大きく形成して、固定ネジをキャビネット側から挿入しこれを緊締することで、該スペーサを壁面に取り付けるように構成したことを特徴とするものである。
【０００６】
このように構成することで、請求項１に記載のスペーサにあっては、キャビネットと壁面との間に発生する間隙の大きさに対応させて、現場で容易に調整し隠蔽することができ、また、前記本体部の両側部の手前側下部に、前記天板部の前側に膨出形成された凸部に合致する切欠部が形成し、この切欠部の周縁部と本体部の奥行端部を薄肉に形成することで、水止めとして機能する様々な大きさや形状からなる各種天板部の上記凸部に合致した切欠部を形成することができ、システムキッチンとしての一体性を容易に創出することができる。
【０００７】
この場合、前記本体部は、請求項２に記載したように、キャビネットの天板側部の奥行寸法に合わせて切断可能な材質、例えば、キャビネットの天板と同じ材質の合成樹脂材、板材、アルミ材等の金属材で形成するのが望ましい。
【０００８】
このように構成することで、請求項２に記載のスペーサにあっては、システムキッチンとしてのデザイン性を損なうことなく上記間隙を一体感を持たせた状態で塞ぐことができる。
【０００９】
そして、この発明にあっては、請求項３に記載したように、前記壁面側のネジ孔に、ネジ挿通孔が開設されたスペーサキャップを嵌合係止されるように構成することで、該スペーサを強固に壁面に取り付けることができる。
【００１０】
勿論、この発明にあっては、請求項４に記載したように、前記天板側部側のネジ孔に、例えば、本体部と同質の色合い材料で形成された化粧キャップを着脱自在に装着することで、ネジ孔が外部に露呈しないので、一体感のあるデザイン性能を得ることができる。
【００１１】
また、この発明に係るスペーサにあっては、請求項５に記載したように、前記前板部の下端部を下方に延設させて形成し、この延長された前板部の下端部を、前記天板部の厚さ寸法に対応させて切断することで、キャビネットの天板部との一体感を容易に創出することができ、システムキッチンとしてのデザインの統一性が得られ易くすることができる。
【００１３】
また、この発明にあっては、請求項６に記載したように、前記本体部の天板部後端に、キャビネットの天板部奥行側に立ち上がり形成されたバックガードの前後幅寸法と同じ寸法に切断調整可能な隠蔽片を延設して構成したので、バックガード部に対する一体性を容易に創出することができる。
【００１４】
【発明の実施の形態】
以下、添付図面に示す実施の形態例に基づきこの発明を詳細に説明する。
【００１５】
図１乃至図１１は、この発明の実施の一形態例に係るスペーサを示しており、この形態例に係るスペーサは、図１２乃至図１４に示す流し台の天板側部ａと壁面Ｗとの間隙を塞ぐ幅寸法と奥行寸法を有する略逆凹状に成形されたＡＢＳ樹脂製の本体部１と、この本体部１の前面側を塞ぐＡＢＳ樹脂で形成された前板部２と、で形成されており、上記本体部１の両側部３，４には、軸心が同軸のネジ孔５，６が前後方向に沿って所要間隔毎に複数個開設されている。尚、上記本体部１の天板部７は、本体部１に着脱自在に嵌合係止されるように構成されている。また、上記本体部１内には、所要間隔毎に補強片１Ａが一体形成されている。
【００１６】
そして、上記本体部１の両側部３，４に開設された両ネジ孔５，６の口径は、この形態例では、ネジＶの頭部Ｖａより大きく形成している。勿論、この発明にあっては、両ネジ孔５，６の口径をネジＶの頭部Ｖａより大きく形成する必要はなく、少なくとも天板側部側のネジ孔５の口径をネジＶの頭部Ｖａより大きく形成すればよい。
【００１７】
また、この形態例では、前記本体部１を、流し台の天板側部ａの奥行寸法に合わせて切断可能なＡＢＳ樹脂を用いたが、この場合、システムキッチンとしての色調の同一性を得るために、流し台の天板Ｋ（図１２乃至図１４参照）と同じ色調と材質感が得られるように形成するのが望ましい。勿論、キャビネットの天板が板材やアルミ材等の金属材で形成されている場合には、本発明に係るスペーサを同一の材質で形成するのが望ましい。
【００１８】
また、上記前板部２の下端部は、図１乃至図３に示すように、下方に延設されており、この延長された前板部２の下端部２Ａを、前記天板部Ｋの厚さ寸法に対応させて切断することで、天板部Ｋとの一体感を容易に創出することができ、システムキッチンとしてのデザインの統一性が得られ易くすることができる。
【００１９】
さらに、前記本体部１の両側部３，４の手前側下部には、前記天板部Ｋの前側に膨出形成された凸部８の外形に合致する形状の切欠部９が形成されており、図３において斜線で表すように、これら切欠部９の周縁部９Ａと本体部１の奥行端部２Ｂは、薄肉状に形成されている。
【００２０】
このように構成することで、様々な大きさや形状からなる各種システムキッチンや流し台の天板部Ｋの上記止水用凸部８に合致した切欠部９を形成することができ、システムキッチンとしての一体性を容易に創出することができる。
【００２１】
また、上記本体部１の天板部７の後端には、前記天板部Ｋの奥行側に立ち上がり形成されたバックガードＫＢの前後幅寸法と同じ寸法に切断調整可能な隠蔽片７Ａが延設されている。
【００２２】
さらに、上記本体部１の両側部３，４に開設された両ネジ孔５，６の内、壁面側のネジ孔６には、図１２と図１３に示すように、ネジ挿通孔１１が開設されたネジスペーサ１０が嵌合係止される。
【００２３】
このネジスペーサ１０は、上記ネジ孔６の内径寸法よりも小径の挿入部１２と、上記ネジ孔６の直径よりも大径に形成されたフランジ部１３とで断面形状が略凸状に形成されており、上記挿入部１２の外周には、複数条のリブ１４が突設され、該リブ１４がネジ孔６の内周面に圧接することで、該ネジスペーサ１０をネジ孔６に圧入係止させることができる。
【００２４】
また、上記天板側部側のネジ孔５には、図１４と図１５に示すように、本体部１と同質のＡＢＳ樹脂で形成された化粧キャップ２０が着脱自在に装着される。
【００２５】
この化粧キャップ２０は、上記ネジ孔５の内径寸法よりも小径の挿入部２１と、上記ネジ孔５の直径よりも大径に形成されたフランジ部２２とで断面形状が略凸状に形成されており、上記挿入部２１の外周には、複数条のリブ２３が突設され、該リブ２３がネジ孔５の内周面に圧接することで、該ネジ孔５を外部に露呈しない状態で閉塞することができ、システムキッチンとしての一体感のあるデザイン性能を得ることができる。
【００２６】
次に、以上のように構成されてなるスペーサを用いて前記天板部Ｋと壁面Ｗとの間に形成された間隙を塞ぐ場合には、先ず、天板部Ｋの凸部８の外形形状に合わせて切欠部９の薄肉部９Ａを削ると共に、天板部Ｋの奥行き寸法に合わせて上記本体部１の奥行き側を切断し、さらに、天板部７の隠蔽片７ＡをバックガードＫＢの奥行き寸法に対応させて切断し、またさらに、前板部２の下端部２Ａを前記天板部Ｋの厚さ寸法に対応させて切断する。
【００２７】
次に、図１６に示すように、上記本体部１に開設された壁面側のネジ孔６に、ネジスペーサ１０を嵌合係止した後、図１７に示すように、スペーサを天板部Ｋの上に合わせ、ネジＶをネジ孔５側から挿通してネジスペーサ１０及び前記ネジ孔６を通して緊締し、該スペーサを壁面Ｗにしっかりと固定する。次に、上記ネジ孔５に化粧キャップ２０を嵌合する。この後、図１８に示すように、スペーサと天板部Ｋとの間をシリコンシーリングして水密性を向上させる。
【００２８】
【発明の効果】
この発明に係るスペーサは、以上説明したように構成されているので、キャビネットと壁面との間に発生する間隙を、厨房室のデザイン性を損なうことなく、現場にて上記間隙の大きさに対応させて容易に調整し隠蔽することができる、という優れた効果を奏する。
【図面の簡単な説明】
【図１】この発明の実施の一形態例に係るスペーサの斜視図である。
【図２】同スペーサの正面図である。
【図３】同スペーサの一部を切欠して示す拡大正面図である。
【図４】同スペーサの前端部の底面拡大図である。
【図５】同スペーサの平面図である。
【図６】同スペーサの底面図である。
【図７】同スペーサの左側面図である。
【図８】同スペーサの右側面図である。
【図９】図８拡大図である。
【図１０】図２Ａ−Ａ線拡大断面図である。
【図１１】図２Ｂ−Ｂ線拡大断面図である。
【図１２】同スペーサの取り付けに用いられるネジスペーサの正面図である。
【図１３】同ネジスペーサの左側面図である。
【図１４】同スペーサの取り付け後に装着される化粧キャップの正面図である。
【図１５】同化粧キャップの左側面図である。
【図１６】同スペーサの取り付け状態の第１工程を示す斜視図である。
【図１７】同取り付け状態の第２工程を示す斜視図である。
【図１８】同取り付け状態の第３工程を示す斜視図である。
【図１９】同取り付け状態の詳細を示す断面説明図である。
【符号の説明】
Ｋ  流し台の天板部
ＫＢ  バックガード
Ｖ  ネジ
Ｖａ  ネジの頭部
Ｗ  壁面
ａ  流し台の天板側部
１  スペーサ
２  前板部
２Ａ  前板部の下端部
２Ｂ  本体部の奥行端部の薄肉部
３，４  本体部の両側部
５  天板部側ネジ孔
６  壁面側ネジ孔
７  スペーサの天板部
７Ａ  隠蔽片
８  天板部の止水用凸部
９  切欠部
９Ａ  切欠部の薄肉部
１０  ネジスペーサ
２０  化粧キャップ
【図１】
0004280862.tif 000002
【図２】
0004280862.tif 000003
【図３】
0004280862.tif 000004
【図４】
0004280862.tif 000005
【図５】
0004280862.tif 000006
【図６】
0004280862.tif 000007
【図７】
0004280862.tif 000008
【図８】
0004280862.tif 000009
【図９】
0004280862.tif 000010
【図１０】
0004280862.tif 000011
【図１１】
0004280862.tif 000012
【図１２】
0004280862.tif 000013
【図１３】
0004280862.tif 000014
【図１４】
0004280862.tif 000015
【図１５】
0004280862.tif 000016
【図１６】
0004280862.tif 000017
【図１７】
0004280862.tif 000018
【図１８】
0004280862.tif 000019
【図１９】
0004280862.tif 000020